(57)【要約】【課題】袋本体の内部へ注水した後に、注水口が自動的に閉止されることにより、煩雑な注水口の閉止作業が不要となって、極めて使い勝手が良く、かつ、閉じた注水口から水が漏れにくく、使用に支障をきたすことのない製氷袋を提供する。【解決手段】周辺部が密閉された合成樹脂フィルム製の袋本体に、互いに画成されると共に、隣接するものと一部が互いに連通しうる複数の小製氷室が形成されるとともに、上記いずれかの小製氷室と袋本体の外部とを連通させる注水口が形成され、上記注水口には袋本体の外部から内部への注水は可能であると共に、袋本体の内部から外部への水の流出は阻止しうる逆止弁が設けられていることを特徴とする。【選択図】        図１
2004325052.tif 000002
【特許請求の範囲】
【請求項１】
周辺部が密閉された合成樹脂フィルム製の袋本体に、互いに画成されると共に隣接するものと一部が互いに連通しうる複数の小製氷室が形成され、上記いずれかの小製氷室と袋本体の外部とを連通させる注水口が形成され、
上記注水口には袋本体の外部から内部への注水は可能であると共に袋本体の内部から外部への水の流出は阻止しうる逆止弁が設けられていることを特徴とする製氷袋。
【請求項２】
上記複数の小製氷室は、袋本体を形成する表面フィルム部材と裏面フィルム部材の区画する部位を点線状に溶着することにより形成されていることを特徴とする請求項１記載の製氷袋。
【請求項３】
上記逆止弁付きの注水口は、袋本体の両端に形成されていることを特徴とする請求項１又は２記載の製氷袋。
【請求項４】
上記袋本体の注水口を設ける端部は、表面フィルム部材と裏面フィルム部材の端部を内側に折り返して４重構造に形成され、その２枚の内側フィルム部材の間に袋本体の内部と外部とを連通する注水口が設けられると共に、上記内側フィルム部材と２枚の外側フィルム部材との間に上記注水口を取り囲むように袋本体の内部と連通すると共に、袋本体の外部とは連通しない袋状スペースが形成され、袋本体の内部の水が上記袋状スペースへ入り込むことにより上記内側フィルム部材が水密に密着されて注水口を閉じる逆止弁となるように構成されていることを特徴とする請求項１、２、又は３記載の製氷袋。
【請求項５】
上記袋本体には、上記各小製氷室の縦方向の区画部位及び横方向の区画部位においてそれぞれ当該袋本体を切断しうるミシン目が設けられていることを特徴とする請求項１，２，３又は４記載の製氷袋。
【発明の詳細な説明】
【０００１】
【発明の属する技術分野】
本発明は製氷袋に関する。
【０００２】
【従来の技術】
従来、袋本体の内部に水を入れて冷凍庫で冷却することにより氷を製造しうる製氷袋が存在する。
【０００３】
そして、従来の製氷袋の多くは、周辺部が密閉された合成樹脂フィルム製の袋本体に、互いに区画され、かつ、隣接するものと一部が互いに連通しうる複数の小製氷室が形成されるとともに、その１つの小製氷室と袋本体の外部とを連通させる注水口が形成された構造を有している（例えば、特許文献１、特許文献２及び特許文献３参照）。
【０００４】
【特許文献１】
実開平４−８０６３号公報
【特許文献２】
実開平１−１５８０７１号公報
【特許文献３】
実開昭６２−１３０３７６号公報
【０００５】
しかしながら、上記公知例の各製氷袋は、袋本体に帯状部位が形成されて、その帯状部位に注水口が設けられ、袋本体の内部へ注水した後で、上記帯状部位を結び止めすることにより注水口を閉じるように構成されているので、注水口の閉止作業が煩雑であると共に、結び止めが緩いと、冷凍庫に入れた場合に、製氷される前に、その帯状部位の結び目の隙間から水が漏れて冷凍庫内が水浸しになるという不具合が生じる虞があった。
【０００６】
【発明が解決しようとする課題】
そこで本発明は上記の問題を解決すること、すなわち、袋本体の内部へ注水した後に、注水口が自動的に閉止されて、煩雑な注水口の閉止作業が不要で極めて使い勝手が良く、かつ、閉じた注水口から水が漏れにくく使用に支障をきたすことのない製氷袋の提供を課題とする。
【０００７】
【課題を解決するための手段】
上記課題を解決するために、本発明にあっては、周辺部が密閉された合成樹脂フィルム製の袋本体に、互いに画成されると共に隣接するものと一部が互いに連通しうる複数の小製氷室が形成され、上記いずれかの小製氷室と袋本体の外部とを連通させる注水口が形成され、
上記注水口には袋本体の外部から内部への注水は可能であると共に袋本体の内部から外部への水の流出は阻止しうる逆止弁が設けられていることを特徴とする。
したがって、本発明にあっては、袋本体の内部へ注水した後で、袋本体の内部の水が注水口から外部へ流出するのを上記逆止弁が阻止しうるので、上記公知例のように帯状部位を結び止めて注水口を閉じるような煩雑な作業が不要となる。また、上記逆止弁が注水口を確実に閉じるので、その注水口から水が漏れることがない。
【０００８】
また、本発明にあっては、上記複数の小製氷室は袋本体を形成する表面フィルム部材と裏面フィルム部材の区画する部位を点線状に溶着することにより形成されていることを特徴とする。
したがって、本発明にあっては、互いに区画され、かつ、隣接するものと一部が互いに連通しうる複数の小製氷室が容易に形成される。
【０００９】
また、本発明にあっては、上記逆止弁付きの注水口は袋本体の両端に形成されていることを特徴とすることができる。
したがって、本発明にあっては、２ヶ所の注水口から袋本体の内部へ注水できるので、両端のいずれの側部からであっても注水することができる。また、大型の袋に形成される場合には特に、両端に形成された注水口から注水することにより、注水作業の能率をアップして、注水作業の時間を短縮することができる。
【００１０】
また、本発明にあっては、上記袋本体の注水口を設ける端部は、表面フィルム部材と裏面フィルム部材の端部を内側に折り返して４重構造に形成され、その２枚の内側フィルム部材の間に袋本体の内部と外部とを連通する注水口が設けられると共に、上記内側フィルム部材と２枚の外側フィルム部材との間に上記注水口を取り囲むように袋本体の内部と連通すると共に、袋本体の外部とは連通しない袋状スペースが形成され、袋本体の内部の水が上記袋状スペースへ入り込むことにより上記内側フィルム部材が水密に密着されて注水口を閉じる逆止弁となるように構成されていることを特徴とする。
したがって、本発明にあっては、袋本体を形成する合成樹脂フィルムだけで上記逆止弁を形成することができるので、別個に逆止弁を製造して袋本体に取付けるような煩雑がなく、逆止弁を低コストで容易に形成することができる。
【００１１】
また、本発明にあっては、上記袋本体には、上記各小製氷室の縦方向の区画部位及び横方向の区画部位においてそれぞれ当該袋本体を切断しうるミシン目が設けられていることを特徴とする。
したがって、本発明にあっては、上記ミシン目で縦方向又は横方向に切断することにより袋本体を所要の大きさに分割できるので、使用する氷の量に相当する分だけ切り離して、残りは冷凍庫に保存することができる。したがって、袋本体で製氷された氷の一部だけを使用して残りを廃棄するという無駄を無くすことができる。
【００１２】
【発明の実施の形態】
以下、添付した図面を用いて本発明の実施の形態について説明する。まず、本実施の形態に係る製氷袋１は、図１乃至図３に示すように、周辺部が密閉された合成樹脂フィルム製の袋本体２に、互いに画成されると共に、隣接するものと一部が互いに連通しうる複数の小製氷室３…が形成されるとともに、上記いずれかの小製氷室３…と袋本体２の外部とを連通させる注水口４が形成され、上記注水口４には、図４及び図５に示すように、袋本体２の外部から内部への注水は可能であると共に、袋本体２の内部から外部への水の流出は阻止しうる逆止弁５が形成されている。
また、上記複数の小製氷室３…は、図１に示すように、袋本体２を形成する表面フィルム部材６と裏面フィルム部材７の区画する部位を点線状に溶着することにより形成されている。
また、上記逆止弁５付きの注水口４は、図１に示すように、袋本体２の上下両端に形成されている。
また、上記袋本体２の注水口４を設ける端部は、図４に示すように、表面フィルム部材６と裏面フィルム部材７を内側に折り返して４重構造に形成され、その２枚の内側フィルム部材６ａ，７ａの間に袋本体の内部と外部とを連通する注水口４，４が設けられると共に、上記内側フィルム部材６ａ，７ａと２枚の外側フィルム部材６ｂ，７ｂとの間に上記注水口４，４を取り囲むように袋本体２の内部と連通すると共に、袋本体２の外部とは連通しない袋状スペース８が形成され、図５及び図６に示すように、袋本体２の内部の水１０が上記袋状スペース８へ入り込むことにより上記内側フィルム部材６ａ，７ａが水密に密着されて注水口４を閉じる逆止弁５となるように構成されている。
また、上記袋本体２には、図１に示すように、上記各小製氷室３…の縦方向の区画部位及び横方向の区画部位においてそれぞれ当該袋本体２を切断しうるミシン目１２ａ，１２ｂが設けられている。
【００１３】
上記袋本体２は合成樹脂フィルム、例えばポリエチレン等のフィルムにより平面矩形に形成されている。そして、図４に示すように、上記袋本体２は表面フィルム部材６と裏面フィルム部材７とを有し、図１に示すように、その周辺部が上記表面フィルム部材６と裏面フィルム部材７とを溶着することにより密閉されている。図中、符号９ａがその溶着部を示している。
【００１４】
なお、表面フィルム部材６と裏面フィルム部材７は、別個の合成樹脂フィルムにより形成することも可能だが、１枚の合成樹脂フィルムを２つ折りして形成することも可能である。
【００１５】
上記袋本体２には、図１に示すように、平面略正方形の複数の小製氷室３…が形成されている。各小製氷室３…は互いに区画されており、かつ、隣接するものと互いに連通するように形成されている。
【００１６】
上記の複数の小製氷室３…を互いに区画するために、図１に示すように、上記袋本体２の表面フィルム部材６と裏面フィルム部材７は、長さ方向において一定間隔置きに横向きに平行に溶着されると共に、それら横向きの溶着部９ｂと直交するように、幅方向においても一定間隔置きに縦向きに平行に溶着されている（符号９ｃがその縦向きの溶着部を示している）。すなわち、袋本体２の表面フィルム部材６と裏面フィルム部材７は格子状に溶着されることにより、上記複数の小製氷室３…が互いに区画されている。
【００１７】
なお、本実施の形態に係る小製氷室３…は、図１に示すように、袋本体２の幅方向に４列、長さ方向に６列形成されているが、小製氷室３…の数は自由であり、増減は可能である。
【００１８】
また、上記の複数の小製氷室３…を、隣接するものと互いに連通させるために、図１に示すように、上記の横向き溶着部９ｂと縦向き溶着部９ｃは共に点線状に溶着されている。これにより、図１に示すように、点々状に配置された溶着部９ｂと溶着部９ｂの間、及び溶着部９ｃと溶着部９ｃの間に、それぞれ連通部１１…が形成されている。
【００１９】
上記の複数の小製氷室３…に水を入れるために、図１に示すように、上記いずれかの小製氷室３…と袋本体２の外部とを連通させる注水口４が袋本体２に形成されている。
【００２０】
上記の注水口４は、図１に示すように、袋本体２の上下両端に、すなわち２箇所に形成されている。
【００２１】
なお、本実施の形態に係る製氷袋１では、図１に示すように、袋本体２の長さ方向の両端部における幅方向の中央部にそれぞれ注水口４が形成され、その各注水口４は、それぞれ袋本体２の長さ方向の両端に形成された４つの小製氷室３…における中央部の２つの小製氷室３ａ，３ｂ，３ｃ，３ｄと連通している。しかしながら、注水口４を設ける位置や、注水口４をどの小製氷室３…と連通させるかは自由であり、本実施の形態には限定されない。
【００２２】
上記注水口４を設ける上記袋本体２の端部は、図４に示すように、４重構造に形成されている。すなわち、表面フィルム部材６と裏面フィルム部材７の端部を内側に折り返して、２枚の内側フィルム部材６ａ，７ａと、２枚の外側フィルム部材６ｂ，７ｂとを有する４重構造に形成されている。
【００２３】
そして、上記の２枚の内側フィルム部材６ａ，７ａと、２枚の外側フィルム部材６ｂ，７ｂとが、図１に示すように、その折り返し縁部における離間した２ヶ所からそれぞれ内方へ向かって略くの字状及び略逆くの字状に一体に溶着されることにより、上記注水口４及び逆止弁５が形成されている。図中、符号９ｄがその溶着部を示している。
【００２４】
すなわち、図４に示すように、上記の溶着により、２枚の内側フィルム部材６ａ，７ａの間に袋本体２の内部と外部とを連通する注水口４が形成されると共に、上記内側フィルム部材６ａ，７ａと２枚の外側フィルム部材６ｂ，７ｂとの間に、上記注水口４の周囲を取り囲むように、袋本体２の内部と連通すると共に、袋本体２の外部とは連通しない袋状スペース８が形成され、図５及び図６に示すように、袋本体２の内部の水１０が上記袋状スペース８へ入り込むことにより、その水圧で上記２枚の内側フィルム部材６ａ，７ａが上下両側から圧力を受けて水密に密着され、注水口４を閉じる逆止弁５となるように構成されている。
【００２５】
図１に示すように、上記袋本体２には、その袋本体２を、上記各小製氷室３…の縦方向の区画部位及び横方向の区画部位においてそれぞれ切断しうるミシン目１２ａ，１２ｂが設けられている。すなわち、上記ミシン目１２ａ，１２ｂは上記溶着部９ｂ，９ｃと同一箇所に設けられている。これにより、上記袋本体２を上記ミシン目１２ａ，１２ｂで切断することにより所要の大きさに分割することができる。なお、ミシン目１２ａ，１２ｂは袋本体２の縁まで延長して設けることができる。
【００２６】
【作用】
本実施の形態に係る製氷袋１により製氷する場合は、上記注水口４から袋本体２の内部へ水１０を流入させる。すると、まず、その注水口４と連通している小製氷室３ａ，３ｂ，３ｃ，３ｄへ水１０が流入する。
【００２７】
各小製氷室３…は、隣接するものと互いに連通しているので、上記の小製氷室３ａ，３ｂ，３ｃ，３ｄに入った水１０は連通部１１…を通過することにより、全ての小製氷室３…へ流入することになる。
【００２８】
水１０は全ての小製氷室３…にゆき渡るとともに、水１０の一部は上記注水口４の周囲に形成された上記袋状スペース８へも入り込むことになる。すなわち、注水口４の周囲を取り囲むように水１０が満たされることになる。
【００２９】
その結果、注水口４を形成する上記２枚の内側フィルム部材６ａ，７ａは上記袋状スペース８に入り込んだ水１０の水圧で上下両側から圧力を受けて水密に密着することになる。その結果、注水口４は閉じた状態となり、すなわち、逆止弁５が働いた状態となって、水１０が漏れ出る心配がない。
【００３０】
これにより、上記の密着した２枚の内側フィルム部材６ａ，７ａの間に棒状部材等を差し込んでその２枚の内側フィルム部材６ａ，７ａの間に隙間を形成しない限り、水１０が袋本体２の外部へ漏れ出ることがない。
【００３１】
上記のように、袋本体２の内部に水１０を満たして注水口４を閉じた状態で、その製氷袋１を冷凍庫へ入れて冷却すれば、各小製氷室３…へ入った水１０が凍って氷の小塊が形成される。
【００３２】
そして、袋本体２の表面フィルム部材６と裏面フィルム部材７を剥脱すれば、氷の小塊を露呈させることができる。なお、同時に形成された複数の氷の小塊は、上記袋本体２における区画部位に対応する箇所が連続しているが、その連結部位は溶着部９ｂ，９ｃの線上における連通部１１の水が凍って形成されるので、肉薄に形成され、かつ、上記の点線状の溶着部９ｂ，９ｃによりミシン目のような孔が開くことになるので、簡単に折ることができて、容易に氷の小塊をバラバラに分割して使用することができる。
【００３３】
なお、上記袋本体２で製氷した氷塊の一部だけを使用する場合は、上記袋本体２を、上記ミシン目１２ａ，１２ｂで縦方向又は横方向に切断することにより所要の大きさに分割する。すなわち、袋本体２を、使用する氷の量に相当する分だけ切り離して、残りは冷凍庫に保存することができる。
【００３４】
【発明の効果】
まず、請求項１記載の本発明の製氷袋は、複数の氷の小塊を一度に製造できるという利便性があり、かつ、袋本体の内部へ注水口から水を入れると、自動的に逆止弁の作用により注水口が閉じるので、従来のように注水口が形成された帯状部位を結び止めて注水口を閉じるような煩雑がなく、使い勝手が極めて良好となる。
【００３５】
また、従来のように注水口が形成された帯状部位を結び止めて注水口を閉じるような構造では、緊密に結ばないと隙間から水が漏れて、冷凍庫内が水浸しになるという不具合が生じるが、本発明の製氷袋にあっては、逆止弁が確実に注水口を閉じることができるので、水漏れの心配がなくなる。
【００３６】
また、請求項２記載の本発明の製氷袋は、袋本体を形成する表面フィルム部材と裏面フィルム部材の区画する部位を点線状に溶着することにより、互いに区画され、かつ、隣接するものと一部が互いに連通する複数の小製氷室を容易に形成することができる。
【００３７】
また、請求項３記載の本発明の製氷袋は、逆止弁付きの注水口が袋本体の両端に形成されるので、その２ヶ所の注水口から袋本体の内部へ同時に注水することにより、注水作業の能率をアップして、注水作業の時間を短縮することができる。
【００３８】
また、請求項４記載の本発明の製氷袋は、上記袋本体の注水口を設ける端部が、表面フィルム部材と裏面フィルム部材の端部を内側に折り返して４重構造に形成され、その２枚の内側フィルム部材の間に袋本体の内部と外部とを連通する注水口が設けられると共に、上記内側フィルム部材と２枚の外側フィルム部材との間に上記注水口の周囲を取り囲むように袋本体の内部と連通すると共に、袋本体の外部とは連通しない袋状スペースが形成され、袋本体の内部の水が上記袋状スペースへ入ることにより上記内側フィルム部材が水密に密着されて注水口を閉じる逆止弁となるように構成されている。
【００３９】
従って、袋本体を形成する合成樹脂フィルム以外の材料を用いることなく、かつ、溶着するだけで逆止弁を形成することができ、別個に逆止弁を製造して袋本体に取付けるような煩雑がなく、逆止弁を低コストで容易に袋本体の注水口に形成できるというメリットがある。
【００４０】
また、請求項５記載の本発明の製氷袋は、上記袋本体に上記ミシン目が設けられたことにより、上記ミシン目で縦方向又は横方向に切断することにより袋本体を所要の大きさに分割できるので、使用する氷の量に相当する分だけ切り離して、残りは冷凍庫に保存することができる。したがって、袋本体で製氷された氷の一部だけを使用して残りを廃棄するという無駄を無くすことができる。
【図面の簡単な説明】
【図１】本実施の形態に係る製氷袋の平面図である。
【図２】図１のＡ−Ａ線における線断面図である。
【図３】図１のＢ−Ｂ線における線断面図である。
【図４】図１のＣ−Ｃ線における一部拡大断面図である。
【図５】本実施の形態に係る製氷袋において、袋本体の内部に水が満たされて注水口の逆止弁が閉じた状態を示す一部拡大断面図である。
【図６】図５のＤ−Ｄ線における断面図である。
【符号の説明】
１  製氷袋
２  袋本体
３  小製氷室
４  注水口
５  逆止弁
６  表面フィルム部材
６ａ  内側フィルム部材
６ｂ  外側フィルム部材
７  裏面フィルム部材
７ａ  内側フィルム部材
７ｂ  外側フィルム部材
８  袋状スペース
９ａ，９ｂ，９ｃ，９ｄ  溶着部
１０  水
１１  連通部
１２ａ，１２ｂ  ミシン目
【図１】
2004325052.tif 000003
【図２】
2004325052.tif 000004
【図３】
2004325052.tif 000005
【図４】
2004325052.tif 000006
【図５】
2004325052.tif 000007
【図６】
2004325052.tif 000008